(57)【要約】【課題】瞬間的に多量の体液等が排出された場合でも、この体液を後漏れさせることなく吸収体に確実に吸収・保持させるようにする。【解決手段】トップシート３とバックシート２との間に吸収体４が介在され、かつ前記吸収体４の上面側両側部に夫々サイドエンボス１４，１４を有する生理用ナプキン１Ａにおいて、前記生理用ナプキン１Ａの前方側吸収体部分に、平面視で、生理用ナプキン１Ａの前端側に膨出する湾曲線からなる第１曲線１３と、この第１曲線１３よりも前方端側に位置し、生理用ナプキン１Ａの前端側に膨出する湾曲線からなるとともに、両端部が前記第１曲線１３の両端部に夫々接合する第２曲線１２とにより区画された閉領域部分（斜線領域）を上面側から窪ませて形成し、前記第１曲線１３と第２曲線１２とが接合される両端部を夫々前記サイドエンボス１４の前方端部に結合する。【選択図】図１
2006218317.tif 000002
【特許請求の範囲】
【請求項１】
前記吸収性物品の前方側吸収体上面部分に、平面視で、吸収性物品の前端側に膨出する湾曲線からなる第１曲線と、この第１曲線よりも前端側に位置し、吸収性物品の前端側に膨出する湾曲線からなるとともに、両端部が前記第１曲線の両端部に夫々接合された第２曲線とにより区画された閉領域部分を上面側から窪ませて凹面状の前方側体液貯留部を形成してあることを特徴とする吸収性物品。
【請求項２】
前記前方側体液貯留部は、平面形状が擬似三日月形状である請求項１記載の吸収性物品。
【請求項３】
前記吸収性物品は吸収体の上面側両側部に夫々サイドエンボスを有し、前記前方側体液貯留部の両端部が前記サイドエンボスに結合されている請求項１〜２いずれかに記載の吸収性物品。
【請求項４】
前記前方側体液貯留部の体液貯留保持量は最大で１０ccである請求項１〜３いずれかに記載の吸収性物品。
【請求項５】
前記前方側体液貯留部の吸収体幅方向寸法は、吸収体幅に対して２０〜８０％である請求項１〜４いずれかに記載の吸収性物品。
【請求項６】
前記前方側体液貯留部の吸収性物品の縦方向中心線上における吸収体長手方向寸法は、吸収体長さに対して３〜３０％である請求項１〜５いずれかに記載の吸収性物品。
【請求項７】
前記前方側体液貯留部の位置は、第２曲線と吸収性物品の縦方向中心線との交点を基準に、吸収体の前端部から吸収体長手寸法に対して１０〜２０％の範囲に位置している請求項１〜６いずれかに記載の吸収性物品。
【請求項８】
前記透液性表面シートと吸収体とが一体に圧縮されて前記前方側体液貯留部が形成されている請求項１〜７いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、体液の全量を漏れ出すことなく処理可能とした吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在したものが知られている。
【０００３】
この種の吸収性物品にも幾多の改良が重ねられ、体液漏れを防止するための手段が種々講じられている。これら体液漏れ防止手段の一つとして、熱エンボスによって凹状溝を形成する技術が存在する。たとえば、特開平11-33054号公報では、均一に積繊した吸収体を中高形状を象ったフィットエンボスでパルプを圧搾変形し中高部を形成するとともに、中高部の周囲に防漏溝を設けることによって体液の拡散（漏れ）を防止する技術が提案され、特開2001-190595号公報では体液を流入させるための窪みを有する体液処理用品が提案されている。さらに、特開平9-28729号公報では基層吸収体の後端部上面に全幅に亘ってクッション層を設け、就寝時に体液が臀裂を通って後側に漏れ出るのを防止した生理用ナプキンが提案されている。
【特許文献１】特開平１１−３３０５４号公報
【特許文献２】特開２００１−１９０５９５号公報
【特許文献３】特開平９−２８７２９号公報
【発明の開示】
【発明が解決しようとする課題】
【０００４】
しかしながら、前述の特許文献１の凹状溝の機能は、透液性トップシートの表面を伝わって流れる体液を凹状溝内に流入させることによって、それ以上の拡散を抑制するに止まるものであって、例えば瞬間的に多量の体液等が排出された場合に、この体液を漏れないように保持・吸収し得る構造とはなっていない。すなわち、排出される体液の量はその時々で変化し、また瞬間的に多量の体液が排出されることもあれば、少しづつ排出される場合もある。したがって、瞬間的に多量の体液が排出された場合などは、単に前記凹状溝によってそれ以上の拡散を抑制するだけでは足りず、その凹状溝で確実に体液を処理できるようにする必要がある。また、体液にはそのまま前後方向に流れる体液もあれば、拡散しながら流れる体液もあり、特に拡散しながら体液は幅方向漏れのおそれがあるため、迅速に処理する必要がある。
【０００５】
前記特許文献２では窪みを吸収体の上面に設けることによって体液の貯留保持するものであるが、１箇所から大量に体液が流入すると溢流する虞があり、窪みに流入した体液をうまく導流制御する必要がある。
【０００６】
更に、特に夜用ナプキンなど、就寝時における後漏れを防止する場合、上記特許文献３記載の発明のように、単にクッション層を設けただけでは臀裂の隙間を封鎖することはできず、やはり効果的に後漏れを防止できないなどの問題があった。
【０００７】
そこで本発明の主たる課題は、瞬間的に多量の体液等が排出された場合でも、この体液を前漏れさせることなく吸収体に確実に吸収・保持させるようにした漏れ防止効果の高い吸収性物品を提供することにある。
【課題を解決するための手段】
【０００８】
前記課題を解決するための請求項１に係る本発明として、前記吸収性物品の前方側吸収体上面部分に、平面視で、吸収性物品の前端側に膨出する湾曲線からなる第１曲線と、この第１曲線よりも前端側に位置し、吸収性物品の前端側に膨出する湾曲線からなるとともに、両端部が前記第１曲線の両端部に夫々接合された第２曲線とにより区画された閉領域部分を上面側から窪ませて凹面状の前方側体液貯留部を形成してあることを特徴とする吸収性物品が提供される。
【０００９】
請求項２に係る本発明として、前記前方側体液貯留部は、平面形状が擬似三日月形状である請求項１記載の吸収性物品が提供される。
【００１０】
上記請求項１〜２記載の発明においては、前方側吸収体上面部分に、代表的には第１曲線と第２曲線とにより擬似三日月形状を成す前方側体液貯留部を形成するようにした。本発明において擬似三日月形状の体液貯留部を画成する第１曲線は、拡散しながら流れる体液があった場合、中央部を流れる体液より両側部に拡散した体液をより迅速に体液貯留部内に流入させるようにすることで横漏れを防止するように機能し、前記第２曲線は、体液貯留部内に流れ込んだ体液を曲線形状に沿って両側に導流することにより貯留部内での拡散を図り、１箇所から大量の体液が流れ込んだ場合にであっても溢流を防止するように機能するものである。
【００１１】
請求項３に係る本発明として、前記吸収性物品は吸収体の上面側両側部に夫々サイドエンボスを有し、前記前方側体液貯留部の両端部が前記サイドエンボスに結合されている請求項１〜２いずれかに記載の吸収性物品が提供される。
【００１２】
上記請求項３記載の本発明においては、体液貯留部を画成する境界形状を規定するとともに、両端部をサイドエンボスに結合することを条件とした。前記体液貯留部を画成する第１曲線と第２曲線とによる形状は、例えば擬似三日月状を成し、体液貯留部に流入した体液は、一部が底面の吸収体に吸収されるが、吸収されなかった体液は側方に流れる過程で徐々に流域が絞り込まれ、最後はサイドエンボスの溝内に流入し吸収体に吸収されるようになる。体液貯留部に流入した体液に対して前述した導流制御を採ることにより、漏れを許さず、確実に吸収体に吸収保持させることが可能となる。
【００１３】
請求項４に係る本発明として、前記前方側体液貯留部の体液貯留保持量は最大で１０ccである請求項１〜３いずれかに記載の吸収性物品が提供される。
【００１４】
請求項５に係る本発明として、前記前方側体液貯留部の吸収体幅方向寸法は、吸収体幅に対して２０〜８０％である請求項１〜４いずれかに記載の吸収性物品が提供される。
【００１５】
請求項６に係る本発明として、前記前方側体液貯留部の吸収性物品の縦方向中心線上における吸収体長手方向寸法は、吸収体長さに対して３〜３０％である請求項１〜５いずれかに記載の吸収性物品が提供される。
【００１６】
請求項７に係る本発明として、前記前方側体液貯留部の位置は、第２曲線と吸収性物品の縦方向中心線との交点を基準に、吸収体の前端部から吸収体長手寸法に対して１０〜２０％の範囲に位置している請求項１〜６いずれかに記載の吸収性物品が提供される。
【００１７】
請求項８に係る本発明として、前記透液性表面シートと吸収体とが一体に圧縮されて前記前方側体液貯留部が形成されている請求項１〜７いずれかに記載の吸収性物品が提供される。
【発明の効果】
【００１８】
以上詳説のとおり本発明によれば、瞬間的に多量の体液等が排出された場合でも、この体液を前漏れさせることなく、吸収体に確実に吸収・保持できるようになる。
【発明を実施するための最良の形態】
【００１９】
以下、本発明の実施の形態について図面を参照しながら詳述する。
〔第１形態例〕
図１は本発明の第１形態例に係る生理用ナプキン１Ａの展開図であり、図２は図１のII−II線矢視図、図３は図１のIII−III線矢視図、図４は図１のIV−IV線矢視図である。
【００２０】
前記生理用ナプキン１Ａは、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部Ｈから前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２１】
以下、さらに前記生理用ナプキン１Ａの構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の粘着剤層（図示せず）が形成され、身体への装着時に生理用ナプキン１Ａを下着に固定するようになっている。
【００２２】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２３】
前記吸収体４としては、体液を吸収・保持し得るものであれば良く、通常はフラッフ状パルプ中に吸水性ポリマー粉末を混入したものが吸収機能および価格の点から好適に使用される。前記吸収体４は形状保持等のためにクレープ紙５によって囲繞するのが望ましい。
【００２４】
前記吸収体４の上面側中央部には長手方向に沿って中高吸収体６が配設されている。この中高吸収体６の厚みは、厚くし過ぎると吸収体の剛性が上がり身体への密着性が低下するため、３〜２０mm、好ましくは５〜１５mmとするのが好ましい。また、透液性トップシート３面には、両側部に略長手方向に沿ってサイドエンボス１４，１４が形成されている。
【００２５】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１８〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２６】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部Ｈに相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、図８に示されるように、ショーツ３０に対する装着時に、前記ウイング状フラップＷ、Ｗが折返し線ＲＬ位置にて反対側に折り返し、ショーツのクロッチ部分に巻き付けて止着するようになっている。
【００２７】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００２８】
本生理用ナプキン１Ａでは、吸収体４の後方側上面部分に、透液性表面シート３の上面側から窪ませて凹面状の後方側体液貯留部１７が形成されている。この体液貯留部１７は、詳細には図５に示されるように、平面視で、生理用ナプキン１Ａの後端側に膨出する湾曲線からなる第１曲線１６と、この第１曲線１６よりも後方端側に位置し、生理用ナプキン１Ａの後端側に膨出する湾曲線からなるとともに、両端部が前記第１曲線１６の両端部に夫々接合する第２曲線１８とにより区画された閉領域部分（斜線領域）を上面側から窪ませて形成したものであって、前記第１曲線１６と第２曲線１８とが接合される両端部を夫々前記サイドエンボス１４の後方端部Ｋ、Ｋに結合してある。この場合、前記第１曲線１６及び第２曲線１８は一部分に直線部分を含んでいてもよいし、複数の曲率中心を有する複合湾曲線となっていてもよい。要は全体として生理用ナプキン１Ａの後端側に膨出する湾曲線となっていればよい。
【００２９】
前記後方側体液貯留部１７の吸収体幅方向寸法Ｂ１は吸収体幅に対して２０〜８０％、好ましくは４０〜６０％とされる。幅寸法Ｂ１が吸収体幅に対して２０％未満である場合には貯留能力が低くなるとともに、拡散しながら流れ出す体液を捕捉できない場合がある。また、幅寸法Ｂ１が吸収体幅の８０％を超える場合には体液貯留部１７で一旦吸収体４に吸収された体液が吸収体４の側部から外部に滲み出る場合がある。また、ナプキン１Ａの縦方向中心線ＣＬ上における吸収体長手方向寸法Ｌ１は、吸収体長さに対して５〜３０％、好ましくは１０〜２５％とするのが望ましい。吸収体長手方向寸法Ｌ１が５％未満の場合は体液貯留能力が低くなる。３０％を超える場合、本来前記体液貯留部１７は表面を流れる過程で吸収されなかった体液を貯留保持するものであるため、吸収体排血部位Ｈが近くなり過ぎて本発明が意図する効果が低くなる。
【００３０】
さらに、前記後方側体液貯留部１７の体液貯留保持量は最大で２５ccとするのが望ましい。体液の全量を漏らさず吸収するには最大で２５cc程度の容積が必要である。前記後方側体液貯留部１７の位置は、第２曲線１８とナプキンの縦方向中心線ＣＬとの交点Ｐ１を基準に、吸収体４の後端部から吸収体長手寸法に対して１０〜３０％の範囲に位置していることが望ましい。１０％未満の場合は体液貯留部１７で一旦吸収体４に吸収された体液が吸収体側縁部から外部に滲み出る場合がある。また、３０％を超える場合、吸収体排血部位Ｈが近くなり過ぎて本発明が意図する効果が低くなる。
【００３１】
図５に示されるように、前記体液排出部Ｈから後方側に流れる体液があった場合でも、この体液は前記後方側体液貯留部１７内に流れ込み、体液貯留部１７内で外方向に拡散し、その一部が体液貯留部１７の底面吸収体部分に吸収されるとともに、吸収されなかった体液は前記第１曲線１６と第２曲線１８とが接合される両端部側に、流域が絞り込まれながら流れ込み、最後はサイドエンボス１４，１４の溝内に流入し吸収体４に吸収されるようになる。このように、体液貯留部１７に流れ込んだ体液の導流方向を制御するとともに、体液の吸収量の増大を図ることにより、大量の体液を後側に漏らさず確実に吸収できるようになる。
【００３２】
一方、本生理用ナプキン１Ａの場合は、吸収体４の前方側上面部分にも、透液性表面シート３の上面側から窪ませて凹面状の前方側体液貯留部１５が形成されている。この前側体液貯留部１５は前述した体液貯留部１７と同様に、平面視で、生理用ナプキン１Ａの前端側に膨出する湾曲線からなる第１曲線１３と、この第１曲線１３よりも前方端側に位置し、生理用ナプキン１Ａの前端側に膨出する湾曲線からなるとともに、両端部が前記第１曲線１３の両端部に夫々接合する第２曲線１２とにより区画された閉領域部分（斜線領域）を上面側から窪ませて形成し、前記第１曲線１３と第２曲線１２とが接合される両端部を夫々前記サイドエンボス１４の前方端部に結合してある。この前方側体液貯留部１５の幅寸法Ｂ２は前記後方側体液貯留部１７と同様の理由により、吸収体幅に対して２０〜８０％、好ましくは４０〜６０％とされる。また、ナプキン１Ａの縦方向中心線ＣＬ上における吸収体長手方向寸法Ｌ２は、前記後方側体液貯留部１７と同様の理由により、吸収体長さに対して３〜３０％、好ましくは５〜１５％とするのが望ましい。
【００３３】
さらに、前記前方側体液貯留部１５の体液貯留保持量は最大で１０ccとするのが望ましい。体液の全量を漏らさず吸収するには最大で１０cc程度の容積が必要である。前記前方側体液貯留部１５の位置は、第２曲線１２とナプキン１Ａの縦方向中心線ＣＬとの交点Ｐ２を基準に、前記後方側体液貯留部１７と同様の理由により、吸収体４の前端部から吸収体長手寸法に対して１０〜２０％の範囲に位置していることが望ましい。
【００３４】
〔第２形態例〕
次いで、本第２形態例に係る生理用ナプキン１Ｂについて図６に基づいて詳述する。
本生理用ナプキン１Ｂにおいては、前記後方側体液貯留部２２の縦方向中心線ＣＬ近傍部位において、ナプキン１Ｂの後端側に突出する体液貯留延長部２２ａを連続的に有する窪み形状をしたものである。
【００３５】
図示される具体例では、平面視で、ナプキン１Ｂの後端側に膨出する湾曲線からなる第１曲線１６と、この第１曲線１６よりも後端側に位置し、かつ前記第１曲線１６の一方側端点を始点として吸収性物品の外方側に膨出する湾曲部を有しながらナプキン１Ｂの縦方向中心線ＣＬ側に向かい、変曲点を越えた後、ナプキン１Ｂの縦方向中心線ＣＬ側に近付くにつれて漸次、ナプキン１Ｂの後端側に伸び、縦方向中心線ＣＬに接合する半曲線２１Ａおよびこの半曲線２１Ａを前記縦方向中心線ＣＬを対称軸として反転させて描かれる半曲線２１Ｂとからなる第２曲線２１とにより区画された閉領域部分（斜線領域）を上面側から窪ませて凹面状の体液貯留部２２を形成し、かつ前記第１曲線１６と第２曲線２１とが接合される両端部を夫々前記サイドエンボス１４，１４に結合するようにしてある。すなわち、本第２形態例では、前記第１形態例における体液貯留部１７の形状を基本としながら、生理用ナプキン１Ｂの幅方向中央部において、体液貯留部２２から連続して漸次幅寸法を狭めながら後端側に突出する体液貯留延長部２２ａを形成したものである。この体液貯留延長部２２ａを形成している両側の画成線は本例では曲線としたが直線であってもよい。
【００３６】
身体の臀裂部においては、図７に示されるように、窪み２５が存在しており、第１形態例における第２曲線１８がこの窪み２５部を横断するような場合には、ナプキンと身体との間に隙間が形成されることになる。従って、本第２形態例では前記窪み２５の形状に合わせた体液貯留延長部２２ａを形成することにより、前記隙間を封止するようにしている。
【００３７】
前記第２曲線２１において、仮想的に前記第１曲線１６の一方側端点を始点として生理用ナプキン１Ｂの外方側に膨出する湾曲線のまま第１曲線の他方側端点に接合した仮想曲線２３を描き、この仮想曲線２３と生理用ナプキン１Ｂの縦方向中心線ＣＬとの交点と、前記半曲線２１Ａ（２１Ｂ）と生理用ナプキン１Ｂの縦方向中心線ＣＬとの交点間の距離Ｓは５〜８０mm、好ましくは１０〜６０mmとするのが望ましい。
なお、前述以外の構造は、第１形態例と同様であるため同符号を付して説明は省略する。
【００３８】
（他の実施形態例）
(1)上記第１形態例及び第２形態例においては、第１曲線１６，第２曲線１８，２１とが接合される両端部をサイドエンボス１４の後方端部Ｋ、Ｋに結合したが、サイドエンボス１４の中間部に結合させてもよい。
(2)上記形態例では生理用ナプキンを例に採り説明を行ったが、本発明は使い捨て紙おむつ、内挿式吸収パッドなどに対しても同様に適用することができる。
【図面の簡単な説明】
【００３９】
【図１】本発明の第１形態例に係る生理用ナプキン１Ａの展開図である。
【図２】その横断面図（図１のII−II線矢視図）である。
【図３】その横断面図（図１のIII−III線矢視図）である。
【図４】その縦断面図（図１のIV−IV線矢視図）である。
【図５】図１の要部拡大図である。
【図６】本発明の第２形態例に係る生理用ナプキン１Ｂの展開図である。
【図７】身体の臀裂部の窪みを説明するための背図である。
【図８】ナプキンの装着状態を示す斜視図である。
【符号の説明】
【００４０】
１Ａ・１Ｂ…生理用ナプキン、２…不透液性バックシート、３…透液性トップシート、４…吸収体、５…クレープ紙、６…中高吸収体、７…サイド不織布、１３・１６…第１曲線、１２・１８・２１…第２曲線、１５・１７・２２…体液貯留部、１４…サイドエンボス、２１Ａ・２１Ｂ…半曲線、２２ａ…体液貯留延長部、ＢＳ…立体ギャザー、Ｗ…ウイング状フラップ、ＷＢ…臀部側ウイング状フラップ
【図１】
2006218317.tif 000003
【図２】
2006218317.tif 000004
【図３】
2006218317.tif 000005
【図４】
2006218317.tif 000006
【図５】
2006218317.tif 000007
【図６】
2006218317.tif 000008
【図７】
2006218317.tif 000009
【図８】
2006218317.tif 000010